【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
互いに磁気結合された複数のコイル（３１、３２、３３、３４）と、
閉磁路を形成するコア（２）と、を備え、
複数の前記コイルのそれぞれの内周側の領域は、少なくとも一部同士が互いにコイル軸方向（Ｚ）に重なるよう配されており、
コイル軸方向から見た状態において、複数の前記コイルの少なくとも１つである特定コイルのコイル径方向における内周端縁から外周端縁までの領域を特定コイル領域としたとき、前記特定コイル領域は、コイル径方向の内周端縁から外周端縁までにかけて、当該特定コイル領域を構成する前記特定コイル以外の少なくとも１つの前記コイルとコイル軸方向に重ならない部分を有し、
上記複数のコイルは、プリント配線基板に設けてある、磁気部品（１）。
【請求項２】
コイル軸方向から見た状態において、前記特定コイルの内周側に形成される、コイル軸方向に直交する面方向の各部の単位面積当たりの質量が同一の二次元図形の重心である特定重心と、当該特定コイル以外の少なくとも１つの前記コイルの内周側に形成される、コイル軸方向に直交する面方向の各部の単位面積当たりの質量が同一の二次元図形の重心とは、互いにずれた位置に配されている、請求項１に記載の磁気部品。
【請求項３】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）とを有し、
コイル軸方向から見た状態において、前記特定重心は、前記内脚部の存在領域に形成される、コイル軸方向に直交する面方向の各部の単位面積当たりの質量が同一の二次元図形の重心である内脚重心（ｃ０）に対して前記横方向の一方側に配されている、請求項２に記載の磁気部品。
【請求項４】
前記コアは、コイル軸方向に対向する一対の基部（２１）と、前記基部から延設されるとともにコイル軸方向から見たときに複数の前記コイルの内周側に配される内脚部（２２）と、を有し、
コイル軸方向から見た状態において、前記特定コイルは、
前記特定重心と、前記内脚部の存在領域に形成される、コイル軸方向に直交する面方向の各部の単位面積当たりの質量が同一の二次元図形の重心である内脚重心（ｃ０）との最短距離を偏心量ｒ［ｍｍ］とし、
その内周端縁と、前記特定重心及び前記内脚重心の双方を通る仮想直線（ＶＬ）との交点間の最短距離をＤ１［ｍｍ］とし、
前記内脚部の外周端縁と前記仮想直線との交点間の最短距離をＤ２［ｍｍ］とし、
（Ｄ１−Ｄ２）／２を可動長さＬと定義したとき、
前記可動長さＬに対する前記偏心量ｒの比率ｒ／Ｌは、ｒ／Ｌ≧０．２５、の関係を満たす、請求項２又は３に記載の磁気部品。
【請求項５】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）とを有し、
コイル軸方向から見た状態において、前記特定コイルの内周端縁は、前記特定重心と前記内脚部の存在領域に形成される、コイル軸方向に直交する面方向の各部の単位面積当たりの質量が同一の二次元図形の重心である内脚重心（ｃ０）との並び方向に形成されるとともに前記並び方向の直交方向に互いに対向する一対の第一直線縁（３ａ）と、一対の前記第一直線縁における、前記特定重心に対する前記内脚重心側である反偏心側の端部同士を前記直交方向に連結する第二直線縁（３ｂ）と、一対の前記第一直線縁における、前記並び方向における前記反偏心側の反対側である偏心側の端部同士を連結するとともに、前記偏心側に突出する突出縁（３ｃ）と、を有する請求項２〜４のいずれか一項に記載の磁気部品。
【請求項６】
複数の前記コイルは、流れる電力値が小さいものほど、コイル軸方向から見たときの長手方向の最長長さが長い、請求項１〜５のいずれか一項に記載の磁気部品。
【請求項７】
複数の前記コイルは、流れる電力値が小さいものほど、コイル軸方向から見たときの外形が大きい、請求項１〜６のいずれか一項に記載の磁気部品。
【請求項８】
複数の前記コイルは、同心コイルを備え、
前記コアは、コイル軸方向に対向する一対の基部（２１）と、前記基部から延設されるとともにコイル軸方向から見たときに複数の前記コイルの内周側に配される内脚部（２２）と、を有し、
コイル軸方向から見た状態において、前記同心コイルの内周側に形成される、コイル軸方向に直交する面方向の各部の単位面積当たりの質量が同一の二次元図形の重心は、前記内脚部の存在領域に形成される、コイル軸方向に直交する面方向の各部の単位面積当たりの質量が同一の二次元図形の重心である内脚重心（ｃ０）と同じ位置に配されており、
コイル軸方向から見た状態において、少なくとも１つの前記同心コイルは、その長手方向の長さが、前記特定コイルの長手方向の長さよりも長い、請求項１〜７のいずれか一項に記載の磁気部品。
【請求項９】
複数の前記同心コイルを備え、複数の前記同心コイルは、消費電力が小さいものほど、コイル軸方向から見たときの長手方向の最長長さが長い、請求項８に記載の磁気部品。
【請求項１０】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）と、を備え、
コイル軸方向における一対の前記基部の間であって、前記横方向における一対の前記外脚部の間には、空気よりも透磁率が高い磁束形成部（８）が配されている、請求項１〜９のいずれか一項に記載の磁気部品。
【請求項１１】
前記磁束形成部は、少なくとも１つの前記コイルにコイル径方向に重なる位置に配されている、請求項１０に記載の磁気部品。
【請求項１２】
請求項１〜１１のいずれか一項に記載の磁気部品を備える電力変換装置（５）であって、
複数の電圧部（６、７）と、
複数の前記電圧部にそれぞれ接続される複数の電力変換用回路部と、
複数の前記電力変換用回路部にそれぞれ接続される複数の前記コイルを有する前記磁気部品と、を備える電力変換装置。
【手続補正２】
【補正対象書類名】明細書
【補正対象項目名】０００６
【補正方法】変更
【補正の内容】
【０００６】
本発明の一態様は、互いに磁気結合された複数のコイル（３１、３２、３３、３４）と、
閉磁路を形成するコア（２）と、を備え、
複数の前記コイルのそれぞれの内周側の領域は、少なくとも一部同士が互いにコイル軸方向（Ｚ）に重なるよう配されており、
コイル軸方向から見た状態において、複数の前記コイルの少なくとも１つである特定コイルのコイル径方向における内周端縁から外周端縁までの領域を特定コイル領域としたとき、前記特定コイル領域は、コイル径方向の内周端縁から外周端縁までにかけて、当該特定コイル領域を構成する前記特定コイル以外の少なくとも１つの前記コイルとコイル軸方向に重ならない部分を有し、
上記複数のコイルは、プリント配線基板に設けてある、磁気部品（１）にある。
本発明の他の態様は、前記磁気部品を備える電力変換装置（５）であって、
複数の電圧部（６、７）と、
複数の前記電圧部にそれぞれ接続される複数の電力変換用回路部と、
複数の前記電力変換用回路部にそれぞれ接続される複数の前記コイルを有する前記磁気部品と、を備える電力変換装置にある。